(57)【要約】【課題】セキュリティ層を剥がした際に、セキュリティ層を剥がした痕跡が残るか、セキュリティ層が破壊されるか、または貼り直したことが判別可能な情報表示体を提供する。【解決手段】基材７にセキュリティ層５を積層してなる情報表示体であって、基材は、情報表示体の支持体と、支持体上に備えられた情報を表示する情報表示層６と、を備えており、セキュリティ層は、偽造防止機能を備えた層と、情報表示層と、を備えており、セキュリティ層は、基材より小さく備えられており、且つセキュリティ層の端部に沿って、セキュリティ層側の情報表示層６´と基材側の情報表示層が隣接して備えられた隣接表示部を備えており、隣接表示部には、セキュリティ層側の情報表示層と基材側の情報表示層とに跨って情報が表示されていることを特徴とする情報表示体１０。【選択図】図１
2020110976.tif 000002
【特許請求の範囲】
【請求項１】
基材にセキュリティ層を積層してなる情報表示体であって、
基材は、情報表示体の支持体と、支持体上に備えられた情報を表示する情報表示層と、を備えており、
セキュリティ層は、偽造防止機能を備えた層と、情報表示層と、を備えており、
セキュリティ層は、基材より小さく備えられており、且つセキュリティ層の端部に沿って、セキュリティ層側の情報表示層と基材側の情報表示層が隣接して備えられた隣接表示部を備えており、
隣接表示部には、セキュリティ層側の情報表示層と基材側の情報表示層とに跨って情報が表示されていることを特徴とする情報表示体。
【請求項２】
前記偽造防止機能を備えた層が、エンボスホログラムとリップマンホログラムと回折格子光学素子と印刷インキの印刷物の中から選択した何れか１つ、または何れか２つ以上を組み合わせたもので構成されていることを特徴とする請求項１に記載の情報表示体。
【請求項３】
前記情報表示層がレーザー発色層であることを特徴とする請求項１または２に記載の情報表示体。
【請求項４】
前記情報が、生体情報とＩＤ情報の何れか１つか両方からなることを特徴とする請求項１〜３のいずれかに記載の情報表示体。
【発明の詳細な説明】
【技術分野】
【０００１】
本発明は、パスポートやＩＤカードなどの個人情報を表示する媒体（情報表示体）において、それらの表面に貼付されているホログラムなどを使用したセキュリティラベル（以後、ホロパッチ、または単にパッチと記す。）や転写箔の様なセキュリティ物品の貼替えや改ざんを防止する技術に関する。
【背景技術】
【０００２】
カードやパスポート等の情報表示体のセキュリティ性を高める手段として、情報が記録された面にホログラムなどのセキュリティ要素が含まれたフィルム（以後、セキュリティ層と記す。）を貼り付ける方法が一般的に用いられている。
【０００３】
ここで、セキュリティ層の厚さが１０μｍ〜１００μｍの比較的に厚いものをパッチと呼び、１μｍ〜１０μｍの薄いものを転写箔と呼ぶことにする。
【０００４】
パッチは、粘着剤層を介してパスポートやカードのデータ面に貼付され、その保護に用いられており、耐久性が高い反面、剥がされて不正に再利用される偽造・変造には弱い。      
【０００５】
一方、転写箔は、薄いため剥がされると破壊され易く、セキュリティ性は高い。そのため、パスポートなどでの利用が増えている。しかしながら、耐久性が低いため、特に摩擦される環境に置かれることが多いカード類においては転写箔が使われることが少なく、パッチが使用される。
【０００６】
また、パッチや転写箔に、ホログラムを用いた光学素子や、特殊なインキを使用した印刷層を設けることにより、よりセキュリティ性を高めたセキュリティ層として使用することができる。
【０００７】
しかしながら、マイクロレンズやレンチキュラーレンズの様に比較的大きな光学素子は、形成する際に機械的な強度がある程度要求されるため、パッチにしか設けることができない。
【０００８】
また、剥がして再生利用されることを防ぐ脆性ラベルの様な技術もある。これは２種類の異なる接着強度を持つ粘着層を平面的に塗り分けておき、剥がすと一部は基材から剥れるが、一部は基材側に残留する様にしたものである。脆性ラベルは、転写箔と同様に偽造・変造には比較的に強いが、摩擦に対しては耐久性が劣るため、情報表示体には適していない。
【０００９】
この様なセキュリティ層を貼付した情報表示体においては、セキュリティ層が剥がされて不正に再利用される事が大きな問題となっている。
【００１０】
パッチは粘着剤を使用している事が多いため、加熱等によって剥離することが可能である。また、転写箔であっても、透明テープで裏張りして補強することにより剥がす事は不可能ではない。
【００１１】
情報表示体に貼付されたセキュリティ層が基材から剥がされるのを防ぐのは難しいため、その対応策として、剥がした際に痕が残ったり、セキュリティ層が破壊されたり、貼り直した事が判別可能である様な機能が求められている。
【００１２】
その様な機能を実現する技術に最も類似した技術の例としては、パッチが保護層となって、多数回の繰り返し使用などの過酷な使用条件においても、偽造防止媒体の表面を保護することにより、耐擦傷性や耐溶剤性などに加えて、耐熱性や耐光性に優れた蛍光発光性のホログラムを有するセキュリティ性に優れた偽造防止媒体に関する技術が開示されている（特許文献１）。
【００１３】
しかしながら、この技術は、基材に貼付されたセキュリティ層を基材から剥がして不正使用することを防止する技術とは異なる。
【先行技術文献】
【特許文献】
【００１４】
【特許文献１】特許第４９６２３８６号公報
【発明の概要】
【発明が解決しようとする課題】
【００１５】
上記の事情に鑑み、本発明は、セキュリティ層を剥がした際に、セキュリティ層を剥がした痕跡が残るか、またはセキュリティ層が破壊されるか、または貼り直したことが判別可能な情報表示体を提供することを課題とする。
【課題を解決するための手段】
【００１６】
上記の課題を解決する手段として、本発明の請求項１に記載の発明は、基材にセキュリティ層を積層してなる情報表示体であって、
基材は、情報表示体の支持体と、支持体上に備えられた情報を表示する情報表示層と、を備えており、
セキュリティ層は、偽造防止機能を備えた層と、情報表示層と、を備えており、
セキュリティ層は、基材より小さく備えられており、且つセキュリティ層の端部に沿って、セキュリティ層側の情報表示層と基材側の情報表示層が隣接して備えられた隣接表示部を備えており、
隣接表示部には、セキュリティ層側の情報表示層と基材側の情報表示層とに跨って情報が表示されていることを特徴とする情報表示体である。
【００１７】
また、請求項２に記載の発明は、前記偽造防止機能を備えた層が、エンボスホログラムとリップマンホログラムと回折格子光学素子と印刷インキの印刷物の中から選択した何れか１つ、または何れか２つ以上を組み合わせたもので構成されていることを特徴とする請求項１に記載の情報表示体である。
【００１８】
また、請求項３に記載の発明は、前記情報表示層がレーザー発色層であることを特徴とする請求項１または２に記載の情報表示体である。
【００１９】
また、請求項４に記載の発明は、前記情報が、生体情報とＩＤ情報の何れか１つか両方からなることを特徴とする請求項１〜３のいずれかに記載の情報表示体である。
【発明の効果】
【００２０】
本発明の情報表示体は、カード基材より小さい偽造防止機能を備えたセキュリティ層が積層されており、そのセキュリティ層の端部に沿って、基材側とセキュリティ層側の双方に備えられた情報表示層が隣接して備えられた部分を備えている。その部分において、情報が、基材側とセキュリティ層側の両方に跨って形成されている。具体的には、セキュリティ層側の情報表示層に情報の一部が表示され、ＩＤ情報または生体情報の残りの部分は、隣接する基材の情報表示層に情報が表示される。そのため、セキュリティ層を剥がした場合、セキュリティ層には情報の一部が残留する。この様に、セキュリティ層側にセキュリティ層を剥がした痕跡が残るため、このセキュリティ層を別の基材に貼付した場合、貼り直した事が判別可能となる。
【図面の簡単な説明】
【００２１】
【図１】本発明の情報表示体を例示する説明図であって、（ａ）は上面図、（ｂ）は断面図、である。
【図２】本発明の情報表示体の機能を例示する説明図であった、（ａ）は情報表示体、（ｂ）は情報表示体からセキュリティ層を剥離した基材を示す上面図、（ｃ）は剥離したセキュリティ層を示す上面図、である。
【図３】本発明の情報表示体を例示する説明図。
【図４】本発明の情報表示体を例示する説明図。
【図５】本発明の情報表示体を例示する説明図。
【発明を実施するための形態】
【００２２】
本発明の情報表示体を説明する。
本発明の情報表示体は、基材に偽造防止機能を備えたセキュリティ層を積層してなる情報表示体である。
基材は、情報表示体の支持体と、支持体上に備えられた情報を表示する情報表示層と、を備えている。
【００２３】
セキュリティ層は、ホログラムなどの偽造防止機能を備えた層と、文字や画像を表示する情報表示層と、を備えている。
【００２４】
また、セキュリティ層は、基材より一回り小さく備えられており、且つセキュリティ層の端部に沿って、セキュリティ層側の情報表示層と基材側の情報表示層が隣接して備えられた隣接表示部を備えている。
【００２５】
この隣接表示部においては、セキュリティ層側の情報表示層と基材側の情報表示層とに跨って、情報が表示されている。即ち、セキュリティ層側の情報表示層に情報の一部が表示され、情報の残りの部分は隣接する基材側の情報表示層に表示され、情報が表示されている。この様にして、セキュリティ層側と基材側の情報表示層に表示された情報が平面視で合わさることによって、完成したＩＤ情報や生体情報を構成する。
【００２６】
平面視で完成したＩＤ情報である文字や生体情報である顔などの画像を表示するにあたって、セキュリティ層側の情報表示層が文字や画像の一部分を表示し、基材側の情報表示層に、文字や画像の残りの部分を表示する。そのことによって、完成した文字や画像を表示するものである。
【００２７】
また、本発明の情報表示体における偽造防止機能を備えた層が、エンボスホログラムとクリスタグラムとリップマンホログラムと回折格子光学素子と印刷インキの印刷物の中から選択した何れか１つ、または何れか２つ以上を組み合わせたもので構成されていても良い。
【００２８】
また、情報表示層がレーザー発色層であっても良い。
【００２９】
また、情報が、生体情報とＩＤ情報の何れか１つ、または両方からなるものであっても良い。
【００３０】
次に、本発明の情報表示体の実施形態について、図１〜図５を使用して更に詳しく説明する。
図１は、本発明の情報表示体の一例を説明する説明図である。
図１（ａ）は、本発明の情報表示体１０の一例を上面から見た図である。
本発明の情報表示体１０は、図１（ａ）、（ｂ）に例示した様に、基材７は、樹脂層８と透明樹脂層９の間に形成されたレーザー発色層６からなる積層体であっても良い。また、セキュリティ層５は、透明樹脂１１、１２の間に形成されたレーザー発色層６´からなる積層体であっても良い。
【００３１】
また、セキュリティ層５は、基材７の端部より内側に備えられており、少なくとも、ＩＣカードやＩＤカードなどの基材７に貼付されるホログラムを使用した透明なホロパッチ（ホログラムを使用したセキュリティラベル、図示省略）または透明なホログラム転写箔（図示省略）と、レーザー描画可能な情報表示層６´と、を備えた積層体であっても良い。
【００３２】
基材７側の情報表示層６とセキュリティ層５側の情報表示層６´には、セキュリティ層５の端部において、情報表示層６と情報表示層６´とに跨って、ＩＤ情報や生体情報などの情報が相補的に表示されることにより、情報表示体１０の上面から見た時（平面視）に、完成した文字として表示されるＩＤ情報２や完成した画像として表示される生体情報１のいずれか一方または両方を備えている。
【００３３】
ここで相補的とは、相互に補い合って１つのものを完成するという意味であり、具体的には、本発明の情報表示体１０の上面から見て、基材７側に形成されたＩＤ情報２と、セキュリティ層５側に形成されたＩＤ情報２が、割符と同様に、セキュリティ層５の端部に沿って、互いに補完し合って、完成した文字列を構成することを意味している。
【００３４】
即ち、本発明の情報表示体１０のセキュリティ層５の端部に沿って備えられたレーザー発色層或いはその他の材料からなる基材７側の情報表示層６に形成されたＩＤ情報２の一部分と、セキュリティ層５側の情報表示層６´に形成されたＩＤ情報２の残りの部分と、によって完成したＩＤ情報を表示している。
【００３５】
また、情報表示層６´に表示されたＩＤ情報２の一部分と、それに隣接した情報表示層６に表示されたＩＤ情報２の残りの部分と、によって完成したＩＤ情報２が構成される。また、平面視で情報表示層６´と重なる位置にある情報表示層６には前記ＩＤ情報２の一部分が表示されていても良く、表示されていなくても構わない。
【００３６】
この様な構成である事により、セキュリティ層５が引き剥がされた場合、情報表示体１０の基材７側にセキュリティ層５の端部に沿って、基材７側の情報表示層６上に表示されている前記「ＩＤ情報２の残りの部分」が残留し、一部が欠けたＩＤ情報となる。また、セキュリティ層５側の情報表示層６´には、前記「ＩＤ情報２の一部分」が残留する。この事により、セキュリティ層５が剥がされた場合、そのセキュリティ層が剥がされたものであることが判別可能となる。生体情報１についても同様である。
【００３７】
なお、基材７に形成するＩＤ情報３や生体情報４の形成方法は特に限定されない。例えば、生体情報１とＩＤ情報２を形成する時に一緒に形成する場合は、ＩＤ情報２、４や生体情報１、３を形成する基材７の位置に情報表示層６としてレーザー発色層を形成しておき、レーザーマーカーなどを使用して形成すれば良い。また、同時に形成しない場合は、生体情報１とＩＤ情報２はレーザー発色層とレーザーマーカーを使用して形成し、ＩＤ情報３と生体情報４は、カードプリンタ、インクジェットプリンタ、その他の印刷方法を使用して形成すれば良い。使用するインキは、通常使用する印刷インキの他、蛍光インキ、パールインキなどの光学可変インキなどの特殊なインキを使用することも可能である。
【００３８】
次に、本発明の情報表示体１０の各構成要素について説明する。
【００３９】
（基材）
基材７としては、情報表示体１０の使用目的に従って様々な材料が使用可能であるが、レーザー描画可能なものを使用することができる。例えば、透明樹脂層／レーザー発色層／透明樹脂層の様な、レーザー描画可能な情報表示層６を樹脂の中に備えている構成が好ましい。その様な構成にすることで、情報表示層６を削り取り難くすることにより、不正な偽造・改ざんを防止することができる。
【００４０】
また、ステンレスやチタンなどの金属を使用する事も可能である。これらの金属シートの表面にレーザー光を照射することにより、溶融させたり、変色させたり、することにより描画することができる。
【００４１】
（透明樹脂層と樹脂層）
透明樹脂９、１２としては、ポリカーボネートを好適に使用可能であるが、内部に備えた情報表示層６、６´にレーザー描画可能な透明度を備えた樹脂であれば使用することができる。例えば、ＰＥＴ（ポリエチレンテレフタレート）、ＰＥＴＧ（グリコール変性ＰＥＴ）、塩化ビニール、などを挙げることができる。
樹脂層８としては、透明樹脂層９、１２と同様の樹脂を使用することができる。透明樹脂層９、１２と異なる点は、必ずしも透明でなくても構わないことである。
【００４２】
（セキュリティ層）
セキュリティ層５としては、ホログラムなどを使用したホロパッチであっても、転写箔であっても良く、厚みについての制限は無い。セキュリティ層５を基材７に貼り合せた後に、レーザー描画することを想定しているため、レーザー光がセキュリティ層５を透過して、レーザー発色層などからなる情報表示層６、６´に描画できるだけの透明度を備えていることが好ましい。
【００４３】
また、セキュリティ層５には、各種の偽造・変造防止機能を盛り込む事が可能である。例えば、エンボスホログラム、クリスタグラム（凸版印刷（株）の登録商標）、リップマンホログラムなどのＯＶＤ（Ｏｐｔｉｃａｌ  Ｖａｒｉａｂｌｅ  Ｄｅｖｉｃｅ、光学的可変デバイス）や、樹脂層の上に、パールインキなどのＯＶＩ（Ｏｐｔｉｃａｌ  Ｖａｒｉａｂｌｅ  Ｉｎｋ、光学的可変インキ）、紫外線発色インキなどを印刷した物品を使用することができる。
【００４４】
（情報表示層）
情報表示層６、６´としては、レーザー発色層をはじめ、アルミニウム蒸着層、ＯＶＩ印刷層、顔料印刷層などを好適に使用することができる。この様な材料からなる情報表示層６、６´が、少なくとも、セキュリティ層５の端部に沿って、且つセキュリティ層５と基材７に跨って備えられている必要がある。
【００４５】
レーザー発色層は、レーザー光が照射されることにより、色が変化することにより発色する材料であれば使用することができる。また、材料が除去されることにより下地が露出する事によって、下地の色が露出することで発色することでも良い。また、表面の表面粗さが変化することにより、周囲と異なる反射率となることにより、文字や画像を表示可能とするものであっても良い。
【００４６】
アルミニウム蒸着層（アルミ蒸着層とも記す。）を使用した情報表示層は、表面側のアルミニウム蒸着層にレーザー光がセキュリティ層の端部に沿って照射されることにより、アルミニウム層が除去され、下地が露出することにより、情報を表示するものである。
【００４７】
ＯＶＩ印刷層を使用した情報表示層は、ＯＶＩを基材にスクリーン印刷などにより形成することができる。
【００４８】
基材７側のＩＤ情報３や顔写真などの生体情報は、通常のインキを使用した印刷であっても構わない。しかしながら、セキュリティ層５の端部と基材７に跨って形成されるＩＤ情報２や生体情報１は、レーザー描画可能な情報表示体であることが好ましい。
【実施例】
【００４９】
次に、本発明の実施例について説明する。
【００５０】
＜実施例１＞
まず、ＰＥＴ基材に、カードプリンタＣＰ５００（凸版印刷（株）製）を用いて、顔写真とＩＤ情報を印刷した。
次に、ラミネータＣＬ５０を用いて、セキュリティホログラム（以後、ホロパッチと記す。）を貼付した。
【００５１】
次に、ホロパッチの端部における一部の領域に、ＰＥＴ基材に跨ってレーザー発色層を印刷した。レーザー発色層の形成材料としては、Ｅｌｂｉｍａ（東洋インキ（株）の登録商標）Ｚ１１７（東洋インキ（株）製）を使用した。
【００５２】
次に、顔写真の特徴量を二次元コード化して、レーザーマーカーを使用して、レーザー発色層に描画した。同時に、ホロパッチの端部における二次元コードの位置とは異なる一部の領域に、このレーザーマーカーを使用したレーザーパーフォレーションにより、ドットコード化したＩＤ情報をＰＥＴ基材に跨って形成した。
【００５３】
以上の工程を経て、図３に例示した様な、ＰＥＴ基材上に顔写真とＩＤ情報を備え、それらの上に、ホロパッチを貼付したＩＤカードを作製した。ホロパッチの端部の一部の領域とその領域に隣接したＰＥＴ基材に跨って、二次元コードとドットコードが形成されたＩＤカードを作製した。
【００５４】
この様にして作製したＩＤカードから、ホロパッチを引き剥がすと、二次元コードとドットコードの一部がホロパッチに残留した。そのため、このホロパッチを他の物品に貼付して不正使用することが困難であった。
【００５５】
＜実施例２＞
まず、ＰＥＴ基材に、カードプリンタＣＰ５００（凸版印刷（株）製）を用いて、顔写真とＩＤ情報を印刷した。
次に、ラミネータＣＬ５０を用いて、セキュリティホログラム（以後、ホロパッチと記す。）を貼付した。
【００５６】
このホロパッチには、予め一部の領域にアルミニウムの蒸着薄膜を形成した領域（アルミ蒸着領域とも記す。）を形成したものを使用した。形成する方法として、蒸着マスクを用いたマスク蒸着法を用いた。
【００５７】
次に、アルミ蒸着領域に、ＩＤ情報をバーコード化してレーザー描画した。レーザー光が照射されたアルミニウム薄膜は除去され、ディメタライズ加工（ディメタ加工とも記す。）されると同時に、ＰＥＴ基材にも描画した（図４（ａ）参照）。この事により、ＩＤ情報を担うバーコード化したＩＤ情報１８が、ディメタ加工により形成されたアルミ蒸着領域１９に、ホロパッチ１６とＰＥＴ基材１７に跨って形成された。
【００５８】
この様にして作製したＩＤカードのＰＥＴ基材１７からホロパッチ１６を剥離すると図４（ｂ）に示した様なホロパッチが得られる。このホロパッチには、ディメタ加工により形成されたアルミ蒸着領域１９（図４（ａ）参照）に、ディメタ加工されたバーコード２０が形成されている。
【００５９】
そのため、その様にして得たホロパッチを、別途用意したＰＥＴ基材７に、基材７に形成されたＩＤ情報１７と顔写真１５を備えたカードに貼付し、ディメタ加工されたバーコード２０に新たに別のバーコード２１を形成すると、そのバーコードにモワレが発生する。その事により、このカードが偽造されたものである事が分る。
【００６０】
＜実施例３＞
図５に例示した様に、紙２２からなるパスポートのページに、まず、インクジェットプリンタを用いて顔写真１５とＩＤ情報１７を印刷した。
【００６１】
次に、ディメタ加工により形成したアルミ蒸着領域１９を備えたホロパッチ１６を、前記パスポートのページにラミネートした。
【００６２】
次に、アルミ蒸着領域１９とそれに隣接する紙２２に跨って、顔写真を形成した。その顔写真は、前記顔写真１５を縮小して用いた。顔写真の形成は、レーザー光の照射によって行った。アルミ蒸着領域１９においては、レーザー光によってアルミニウム薄膜を焼き飛ばすことによって行った。また紙２２の部分については、レーザー光の照射によって紙２２に孔を明ける事によって、顔写真を形成した。
【００６３】
この様にして作製したパスポートの顔写真は、ホロパッチ１６の端部にあるアルミ蒸着領域１９とそれに隣接する紙２２に跨って形成されている。そのため、ホロパッチ１６を剥がした場合、ホロパッチ１６に、一部が欠損した顔写真が残留する。そのため、そのホロパッチ１６を不正に使用することが困難となる。
【符号の説明】
【００６４】
１・・・（セキュリティ層と基材に跨って形成された）生体情報
２・・・（セキュリティ層と基材に跨って形成された）ＩＤ情報
３、１７・・・（基材に描画された）ＩＤ情報
４・・・（基材に形成された）生体情報
５・・・セキュリティ層
６、６´・・・情報表示層
７・・・基材
８・・・樹脂層
９・・・透明樹脂層
１０・・・情報表示体
１１、１２・・・透明樹脂
１３・・・顔写真の特徴点を暗号化した二次元コード
１４・・・ドットコード化したＩＤ情報
１５、１５´・・・顔写真
１６・・・ホロパッチ
１８・・・バーコード化したＩＤ情報
１９・・・ディメタ加工により形成したアルミ蒸着領域
２０・・・ディメタ加工されたバーコード
２１・・・形成された別のバーコード
２２・・・紙
【図１】
2020110976.tif 000003
【図２】
2020110976.tif 000004
【図３】
2020110976.tif 000005
【図４】
2020110976.tif 000006
【図５】
2020110976.tif 000007